(57)【要約】【課題】  蓄熱剤または蓄冷剤を利用したセキュリティ媒体と、それによる真偽判定方法を提供する。【解決手段】  本発明のセキュリティ媒体１は、蓄熱剤または蓄冷剤を使用したセキュリティ媒体であって、当該セキュリティ媒体基材１ａの表裏いずれかの面の一部に、蓄熱剤または蓄冷剤をマイクロカプセル化した材料を含む印刷インキによる絵柄２が、他の絵柄３とともに印刷されている、ことを特徴とする。  本発明の真偽判定方法は、前記セキュリティ媒体を、蓄熱剤または蓄冷剤の蓄熱温度領域以下の温度の冷却装置または蓄熱温度領域以上の加熱装置内に一定時間保管した後、室温環境に取り出し、取り出し後の一定時間以内に、当該セキュリティ媒体面を手指で触れて、あるいは２次元放射装置で観察して所定の蓄熱温度領域にある絵柄の存在を確認することを特徴とする。【選択図】    図１
2005131846.tif 000002
【特許請求の範囲】
【請求項１】
蓄熱剤または蓄冷剤を使用したセキュリティ媒体であって、当該セキュリティ媒体基材の表裏いずれかの面の一部に、蓄熱剤または蓄冷剤をマイクロカプセル化した材料を含む印刷インキによる絵柄が、他の絵柄とともに印刷されている、ことを特徴とするセキュリティ媒体。
【請求項２】
蓄熱剤または蓄冷剤をマイクロカプセル化した材料を含む印刷インキによる絵柄が、文字、数字、マトリックス状パターン、バーコード状、にされていることを特徴とする請求項１記載のセキュリティ媒体。
【請求項３】
印刷インキがシルクスクリーンインキであることを特徴とする請求項１記載のセキュリティ媒体。
【請求項４】
請求項１または請求項２記載のセキュリティ媒体を使用した真偽判定方法であって、当該セキュリティ媒体を、蓄熱剤または蓄冷剤の蓄熱温度領域以下の温度の冷却装置内に一定時間保管した後、室温環境に取り出し、取り出し後の一定時間以内に、当該セキュリティ媒体面を手指で触れて、所定の蓄熱温度領域にある絵柄の存在を確認することを特徴とする真偽判定方法。
【請求項５】
請求項１または請求項２記載のセキュリティ媒体を使用した真偽判定方法であって、当該セキュリティ媒体を、蓄熱剤または蓄冷剤の蓄熱温度領域以上の温度の加熱装置内に一定時間保管した後、室温環境に取り出し、取り出し後の一定時間以内に、当該セキュリティ媒体面を手指で触れて、所定の蓄熱温度領域にある絵柄の存在を確認することを特徴とする真偽判定方法。
【請求項６】
請求項１または請求項２記載のセキュリティ媒体を使用した真偽判定方法であって、当該セキュリティ媒体を、蓄熱剤または蓄冷剤の蓄熱温度領域以下の温度の冷却装置内に一定時間保管した後、室温環境に取り出し、取り出し後の一定時間以内に、２次元放射温度計を用いて、当該セキュリティ媒体面を観察して、所定の蓄熱温度領域にある絵柄の存在を確認することを特徴とする真偽判定方法。
【請求項７】
請求項１または請求項２記載のセキュリティ媒体を使用した真偽判定方法であって、当該セキュリティ媒体を、蓄熱剤または蓄冷剤の蓄熱温度領域以上の温度の加熱装置内に一定時間保管した後、室温環境に取り出し、取り出し後の一定時間以内に、２次元放射温度計を用いて、当該セキュリティ媒体面を観察して、所定の蓄熱温度領域にある絵柄の存在を確認することを特徴とする真偽判定方法。
【請求項８】
当該セキュリティ媒体面を観察することに代えて、セキュリティ媒体面の温度分布データをメモリ媒体に記録した後、当該温度分布データをパーソナルコンピュータまたはビデオ装置に表示して観察する、ことを特徴とする請求項６または請求項７記載の真偽判定方法。
【発明の詳細な説明】
【技術分野】
【０００１】
本発明は、蓄熱剤または蓄冷剤を使用したセキュリティ媒体と真偽判定方法に関する。  詳しくは、所定の蓄熱温度を一定時間保つことができる蓄熱剤または蓄冷剤を印刷インキ化して、他の通常のインキの印刷絵柄と一緒に紙やプラスチック基材に印刷しておくことにより、温度変化を与えた場合に、通常のインキの絵柄とは異なる特性を示すことから真偽判定ができるセキュリティ媒体とそれを使用する真偽判定方法に関する。
このようなセキュリティ媒体は、証券、株券、商品券、ギフト券などの金券類、入場券、チケット、定期券などの券類、クレジットカード、プリペイドカード、パスポート、ＩＤカードなどの各種カード、ビデオソフト、パソコン用ソフトなどの真偽判定体として使用することができる。
【背景技術】
【０００２】
従来から、証券、株券、商品券、ギフト券などの金券類、クレジットカード、プリペイドカード、パスポート、ＩＤカードなどの各種カード、ビデオソフト、パソコン用ソフトなどの認証シールなど、偽造防止・真偽判定機能の付与が求められる分野において、マイクロ文字、蛍光印刷、ホログラム等の偽造防止加工技術が用いられている。特に、ホログラムは優れた意匠性、及びカラー複写機においても複製できない偽造・変造の困難性から多用されてきた。
しかし、近年、ホログラムにも巧妙な偽造品が出現し、一見しただけでは真偽の判別ができない場合があり、ホログラムに変わる真偽判定体が求められている。また、ホログラム以外にも各種の真偽判定体があるが、従来にない、新規な真偽判定体、あるいはセキュリティ媒体を見出して、技術の多様化を図ることが求められている。
【０００３】
ところで、従来から、蓄熱剤または蓄冷剤と言われる化学物質があって、他の材料に比較して、当該材料が温度変化に対して、ある範囲の一定の温度条件を長く保つことが知られている。
このものには、特許文献１、特許文献２、特許文献３、特許文献４、特許文献５、特許文献６のように数多くの先行技術が存在する。
【０００４】
特許文献１は、（ａ）ブタンジオール、（ｂ）エタノール、（ｃ）塩化カリウム及び／又は塩化カルシウム、（ｄ）水からなる冷却液組成物、を提案している。
特許文献２は、５〜２６°Ｃの範囲に凍結温度帯を有し、１、６−ヘキサンジオール、安息香酸ナトリウム及び水を含む蓄冷剤、を提案している。
特許文献３は、（ａ）１、６−ヘキサンジオール、（ｂ）酢酸ナトリウム三水和物、及び（ｃ）水を含有する蓄熱剤、を提案している。このものは、１６°Ｃから２６°Ｃまで上昇する間の経過時間が長いことを特徴としている。
特許文献４は、安息香酸ナトリウム及び水を含有する蓄熱剤、を提案している。このものは、特に、−２°Ｃから＋２°Ｃの温度範囲における蓄熱効果が従来のものより優れていることを特徴としている。
【０００５】
特許文献５は、１、６−ヘキサンジオールと水を含有する蓄冷剤、を提案している。このものは、−６°Ｃから＋２°Ｃの温度範囲において優れた蓄冷効果を奏することを特徴とする。
特許文献６は、塩化ナトリウム、塩化カリウム、及び水を含有し、塩化ナトリウムと塩化カリウムの含有量が特定の範囲内にある蓄冷剤、を提案している。このものは、−２６°Ｃから−２２°Ｃの温度範囲において優れた蓄冷効果を奏することを特徴とする。
【０００６】
従来、熱変色性材料あるいは示温顔料を印刷インキ化して、金券類やカードに使用する例は、特許文献７、特許文献８のように数多く検出されるが、蓄熱剤または蓄冷剤を真偽判定体や偽造・変造防止技術に利用した例は見られない。これは、熱変色性材料や示温度顔料と異なり蓄熱剤または蓄冷剤は色彩変化を伴うことを条件としないので、金券類やカードに使用し難い問題があることからと考えられる。
なお、特許文献７は、可逆型感熱変色インキを使用した偽造防止型カードに関し、特許文献８は、示温顔料を使用した真贋判別カードに関する。
【０００７】
【特許文献１】特開２００１−３０３８号公報
【特許文献２】特開２００１−２２０５７５号公報
【特許文献３】特開２００２−８８３５２号公報
【特許文献４】特開２００２−９７４６０号公報
【特許文献５】特開２００２−１０５４４３号公報
【特許文献６】特開２００２−１２９１５１号公報
【特許文献７】特開平５−２３３９０２号公報
【特許文献８】特開２０００−１４１９６１号公報
【０００８】
蓄熱剤または蓄冷剤は、通常は液体であるか、あるいは固体−液体間で融解による相変化を伴うものであるので、そのままの状態では印刷に使用することができない。すなわち、当該材料を印刷可能化することと、熱媒体と周囲物質との接触による反応や、蓄熱剤自体の揮発を防止するために、マイクロカプセル化する必要がある。このような、蓄熱剤または蓄冷剤のカプセル化技術についても先行技術が存在する。
【０００９】
例えば、特許文献９は、塩化カルシウム等の無機水和物をゼラチン等の保護コロイドを用いてマイクロカプセル化する方法について提案している。
特許文献１０は、天然ワックス、石油ワックス等の融解熱及び相転移熱の大きな蓄熱物質をマイクロカプセルに封入した潜熱型畜熱材を提案している。
特許文献１１は、二重膜構造からなる含水マイクロカプセルの製造方法について提案し、特許文献１２は、アルコール類化合物及び脂肪族炭化水素類化合物を内包している蓄熱材用マイクロカプセルについて提案している。
【００１０】
【特許文献９】特開昭６２−１４５２号公報
【特許文献１０】特開昭６３−２１７１９６号公報
【特許文献１１】特開平２−２５８０５２号公報
【特許文献１２】特開平８−２５９９３２号公報
【発明の開示】
【発明が解決しようとする課題】
【００１１】
上記のように、蓄熱剤または蓄冷剤をマイクロカプセル化することが知られていても、それを印刷インキ化することはされていず、蓄熱剤または蓄冷剤を印刷したセキュリティ媒体も提案されたことがなかった。
そこで、本願発明者は、蓄熱剤または蓄冷剤を使用したセキュリティ媒体とそれによる真偽判定方法を提供すべく鋭意研究して本発明の完成に至ったものである。
【課題を解決するための手段】
【００１２】
本発明の要旨の第１は、蓄熱剤または蓄冷剤を使用したセキュリティ媒体であって、当該セキュリティ媒体基材の表裏いずれかの面の一部に、蓄熱剤または蓄冷剤をマイクロカプセル化した材料を含む印刷インキによる絵柄が、他の絵柄とともに印刷されている、ことを特徴とするセキュリティ媒体、にある。
【００１３】
本発明の要旨の第２は、請求項１または請求項２記載のセキュリティ媒体を使用した真偽判定方法であって、当該セキュリティ媒体を、蓄熱剤または蓄冷剤の蓄熱温度領域以下の温度の冷却装置内に一定時間保管した後、室温環境に取り出し、取り出し後の一定時間以内に、当該セキュリティ媒体面を手指で触れて、所定の蓄熱温度領域にある絵柄の存在を確認することを特徴とする真偽判定方法、にある。
【００１４】
本発明の要旨の第３は、請求項１または請求項２記載のセキュリティ媒体を使用した真偽判定方法であって、当該セキュリティ媒体を、蓄熱剤または蓄冷剤の蓄熱温度領域以上の温度の加熱装置内に一定時間保管した後、室温環境に取り出し、取り出し後の一定時間以内に、当該セキュリティ媒体面を手指で触れて、所定の蓄熱温度領域にある絵柄の存在を確認することを特徴とする真偽判定方法、にある。
【００１５】
本発明の要旨の第４は、請求項１または請求項２記載のセキュリティ媒体を使用した真偽判定方法であって、当該セキュリティ媒体を、蓄熱剤または蓄冷剤の蓄熱温度領域以下の温度の冷却装置内に一定時間保管した後、室温環境に取り出し、取り出し後の一定時間以内に、２次元放射温度計を用いて、当該セキュリティ媒体面を観察して、所定の蓄熱温度領域にある絵柄の存在を確認することを特徴とする真偽判定方法、にある。
【００１６】
本発明の要旨の第５は、請求項１または請求項２記載のセキュリティ媒体を使用した真偽判定方法であって、当該セキュリティ媒体を、蓄熱剤または蓄冷剤の蓄熱温度領域以上の温度の加熱装置内に一定時間保管した後、室温環境に取り出し、取り出し後の一定時間以内に、２次元放射温度計を用いて、当該セキュリティ媒体面を観察して、所定の蓄熱温度領域にある絵柄の存在を確認することを特徴とする真偽判定方法、にある。
【発明の効果】
【００１７】
本発明のセキュリティ媒体は、蓄熱剤または蓄冷剤材料による蓄熱インキ絵柄が設けられているので、一定の温度条件に保った後、セキュリティ媒体面を手指で触れるか観察することにより、当該絵柄を持たない媒体と明瞭に識別することができる。
本発明の真偽判定方法の第１の方法では、セキュリティ媒体を手指で触れて、所定の蓄熱温度領域にある絵柄の存在を確認することができるので、簡単に真偽判定ができる。
本発明の真偽判定方法の第２の方法では、セキュリティ媒体を２次元放射温度計を用いて観察して、あるいは温度分布データをメモリに記録してから、所定の蓄熱温度領域にある絵柄の存在を確認することができるので、確実な真偽判定ができる。
【発明を実施するための最良の形態】
【００１８】
本発明は、蓄熱剤または蓄冷剤を使用したセキュリティ媒体であるが、蓄熱剤または蓄冷剤をマイクロカプセル化した材料を使用して印刷インキ化し、この印刷インキを用いた絵柄が、通常の一般印刷インキによる絵柄とともにセキュリティ媒体基材の表面または裏面に印刷されていることを特徴とする。
蓄熱剤または蓄冷剤には、前記のように各種の材料がある。液状や固体状、結晶状のもの等があるが、蓄熱温度領域にガラス転移点や融点を有し、当該領域で相変化を伴う場合は蓄熱量が大きくなると考えられる。
【００１９】
なお、蓄熱剤または蓄冷剤と言っても、いずれも、蓄熱温度領域で一定の温度状態を保ち易いことを意味すると考えられ、温度が比較的低い領域の場合を蓄冷剤、比較的高い領域の場合を蓄熱剤と表現するようであるが、限界を示す明確な定義規定は見だせない。
従って、以降は、蓄熱剤に蓄冷剤を含めて、蓄熱剤と表現することとする。
【００２０】
本発明のセキュリティ媒体及び真偽判定方法について、図１、図２を参照して説明する。図１は、本発明のセキュリティ媒体の各種例を示す平面図、図２は、真偽判定方法を説明する図、である。
【００２１】
図１のセキュリティ媒体１は、蓄熱剤をマイクロカプセル化した材料を含む印刷インキ（以下、「蓄熱インキ」と表現する。）による蓄熱インキ絵柄２が印刷されている。
図１（Ａ）の場合は、「１００８」という数字からなる絵柄であるが、任意の絵柄であってよい。セキュリティ媒体１の表面には、他の絵柄３が共に印刷されていてよく、この絵柄３は一般の印刷インキにより印刷されている。
【００２２】
図１（Ｂ）のセキュリティ媒体１は、蓄熱インキ絵柄２が、媒体基材１ａ面にマトリックス状に印刷されている。マトリックスのパターン等は任意にすることができ、図示していないが、他の絵柄を設けても勿論構わない。
図１（Ｃ）のセキュリティ媒体１は、蓄熱インキ絵柄２がバーコード状に印刷されている。現状の蓄熱インキパターンを観察する装置は、精細パターンを見分けることができないが、粗いパターンであれば、バーコードを認識することができる。
バーコード状パターンは、各バーをそれぞれ個々に印刷しても良いが、平面状に蓄熱インキを印刷して、部分的に断熱材インキ４を印刷してバー状にしてもよい。断熱材インキ４により蓄熱インキ絵柄２を隠すことができるからである。断熱材インキには、発泡剤を含むインキや充填剤を含むインキを用いることができる。
【００２３】
図１（Ｄ）のセキュリティ媒体１は、特性が異なる３種の蓄熱インキ絵柄２ａ，２ｂ，２ｃが印刷されている。図１（Ｄ）の場合は矩形状の単純なパターンであるが、これとは異なる絵柄であってもよい。特性が異なるとは、例えば、蓄熱領域が、２０°Ｃ、３０°Ｃ、４０°Ｃのものからなる蓄熱インキ絵柄２ａ，２ｂ，２ｃを並べて印刷することができる。
【００２４】
次に、本発明の真偽判定方法について、図２を参照して説明する。
図２（Ａ）の場合、セキュリティ媒体の一種であるカード５Ａの半面に、蓄熱インキ絵柄２が印刷されている。このカード５Ａを蓄熱温度よりも高い温度に加熱して、室温に取り戻すと、蓄熱インキ絵柄２以外の部分は短時間に室温に戻るが、蓄熱インキ絵柄２部分は、しばらくの間、一定温度に保たれる。この部分を手指７で触れれば、触感で蓄熱インキ絵柄２が印刷されていることを、非印刷部と対比して明瞭に判定することができる。
一方、このような蓄熱インキ絵柄が全くないカードでは温度差を生じない。これにより、カード５Ａの真偽判定ができる。
【００２５】
加熱装置により加熱する方法は、サーマルヘッド等で加熱印字する方式のリーダライタを用いてもよく、体温や温湯であたためることや、タングステンランプあるいは蛍光灯、蓄熱剤で温める方法であってもよい。人体に影響する温度（５０〜６０°Ｃ）以下の温度条件で加熱できることが好ましいことになる。逆に、冷却装置で冷却する場合とは、冷蔵庫に入れたり、ドライアイスで冷やしたり、氷温水に侵漬したりすることを意味する。
【００２６】
室温環境に取り出し、取り出し後の一定時間というのは、長時間であれば、いずれの部分も環境温度と同一温度になってしまうからである。蓄熱インキ印刷部の熱容量や環境条件に関係するが、３０秒から場合によっては、１０分間程度までは、蓄熱インキ部が異なる特性を示すことが認められている。
【００２７】
図２（Ｂ）の場合、セキュリティ媒体の一種であるカード５Ｂの一部に、蓄熱インキ絵柄２が印刷されている。このカード５Ｂを蓄熱温度よりも高い温度に加熱して、室温に取り戻すと、蓄熱インキ絵柄２以外の部分は短時間に室温に戻るが、蓄熱インキ絵柄２部分は、しばらくの間、一定温度に保たれる。冷却する場合も同様である。
図２（Ｂ）の場合は、判定装置７を用いて真偽判定をする。判定装置７は、例えば、２次元放射温度計や赤外線探知カメラのようなサーモグラフィ装置である。判定装置７を用いて、カード５Ｂを観察した場合、蓄熱インキ絵柄２部分が、画像として現れるので、蓄熱インキ絵柄が全くないカードと直ちに、真偽判定ができる。
【００２８】
セキュリティー媒体１を観察する装置として、２次元放射温度計を挙げることができる。この２次元放射温度計としては例えば、株式会社テックジャムが販売する「アイスクエア」がある。２次元放射温度計は、計測対象について計測した温度に関する温度分布表示をその計測対象体について撮像した画像の上に重ね合わせて表示可能に構成された非接触型の温度計測装置である。
【００２９】
当該装置は、放射温度計の心臓部に、０．５ｍｍスクエアの微小な「サーモパイル」素子を、例えば、８列８行のマトリックス状に配列し、全体を８ｍｍ角程度に構成したセンサアレイを有し、計測レンズからの入射赤外線を、画像の各構成部分の温度に数値化することができる。数値化した温度測定値は微小サーモパイル素子単位毎に異なる色彩に表示することもできる。異なる色彩を撮像部からの可視画像と重畳して、モザイク状の温度分布画像として観察することができるし、熱画像データとしてコンパクトフラッシュ（登録商標）カードに記録できるようにもされている。
【００３０】
図３は、２次元放射温度計の構成を説明する図である。
２次元放射温度計１０は、図のように、温度検出部１２、撮像部１３、表示制御部１４、表示部１５、記憶部１６、操作部１７及び制御部１８を備えている。温度検出部１２は、計測対象についての温度を検出するセンサアレイ１２ａとセンサアレイ１２ａに赤外線を集光させる光学系１２ｂと、センサアレイ１２ａによって出力されたセンサ信号Ｓｓを信号処理して検出温度データＤｔを出力する信号処理回路１２ｃとを備えている。
センサアレイ１２ａは、一例として前記のように８行８列のマトリックス状に配列されて計測エリア内の計測対象体の温度を個別的に検出する赤外線センサを備えている。
【００３１】
撮像部１３は、制御部１８の制御下で計測エリア内の計測対象体を撮像することで画像データＤｇを生成して出力する。この場合、２次元放射温度計では、一例として、複数の光電変換素子（ＣＭＯＳやＣＣＤ）を備えると共に自動焦点機構を備えたカメラが採用されている。なお、撮像部１３に内蔵の自動焦点機構は、計測対象に合焦した際に、合焦した旨を報知する合焦信号Ｓｐと、２次元放射温度計及び計測対象間の距離とを特定可能な距離データＤＬを表示制御部１４に出力する。
【００３２】
表示制御部１４は、温度検出部１２によって出力された検出温度データＤｔと、撮像部１３によって出力された画像データＤｇとに基づいて計測結果画像を表示部１５に表示させるための表示用信号Ｓｈを生成する。また、この表示制御部１４は撮像部１３によって出力された距離データＤＬに応じて画像に温度分布表を重ね合わせる位置を補正する。
また、ポインタによって指定位置の温度を数値表示したり、メモリ媒体にデジタル記録する機能を備える装置もある。
このような２次元放射温度計については、特開２００３−２５４８３１号公報等にさらに詳細に記載されている。
【００３３】
微小サーモパイル素子は、微小な容器内に感温素子を設けた熱型赤外線検出器であって、二種の熱電材料を接続した複数の熱電対を直列に接続したサーモパイルからなる感温素子を、その冷接合部をヒートシンクに熱的に接続するとともに、温接合部において測定対象である物体から輻射される赤外線を検出するものである。
サーモパイル素子は、微小サイズ化されれば、それに伴い温度分布の解像力も高くなると考えられるが、現状では、０．５ｍｍ角程度の大きさが限界のようである。
このような感温素子については、特開平１１−８３６３３号公報、特開平１１−８３６３４号公報等にさらに詳細に記載されている。
【００３４】
セキュリティ媒体面を放射温度計を直接肉眼で観察することに代えて、セキュリティ媒体面の放射温度分布データを、コンパクトフラッシュカード等のメモリ媒体に記録しておき、その後、当該温度分布データを記録したメモリ媒体をパソコンやビデオ機器の画面に表示して観察するようにしてもよい。温度分布は時間の経過に伴い速やかに変化するので、メモリに記録するのが確実な判定方法となるからである。
【００３５】
蓄熱剤をマイクロカプセル化するには、前述した各種の先行技術の方法を採用し得るが、印刷インキ化するためには、耐溶剤性の高いカプセルとすることが好ましい。
カプセルの粒径は、シルクスクリーン用途では、１μｍ〜５μｍ程度が好ましく、グラビア印刷の場合は、０．５μｍ〜３μｍ程度の範囲が好ましい。印刷方法は、シルクスクリーン印刷が厚盛りできるので、蓄熱量を大きくするためには好ましい。
印刷インキの樹脂バインダーには、紙用には、ロジン変成樹脂や硝化綿系樹脂、アクリル系樹脂、塩化ビニル基材には、ビニル系やアクリル／ビニル系樹脂、ポリエステル（ＰＥＴ）基材にはポリエステル系樹脂等を使用することができる。蓄熱剤インキには、必要に応じて、チタン白、ファーストイエロー、フタロシアニンブルー、ブリリアントカーミン等の着色顔料を添加することができる。
【実施例１】
【００３６】
以下、本発明を具体的な内容を実施例に基づき説明する。
＜蓄熱剤入りマイクロカプセルの準備＞
蓄熱剤として、ｎ−ペンタデカンを使用し、これをマイクロカプセル化した。
まず、メラミン粉末１００ｇに３７％ホルムアルデヒド水溶液１３０ｇと水２００ｇを加え、ｐＨを調整した後、液温約７０°Ｃまで加熱して、メラミン−ホルマリン初期縮合物水溶液を得た。
【００３７】
別に準備したα−メチルスチレン−無水マレイン酸共重合体からなる分散用水溶液（濃度５重量％）２０００ｇ中に、ｎ−ペンタデカン１６００ｇを添加し、ホモジナイザーで撹拌して乳化を行った。平均粒径が、３μｍになるまで撹拌した後、先に準備したメラミン−ホルマリン初期縮合物水溶液全量を添加して撹拌した。
濾過分別して乾燥する操作を行って、９°Ｃ付近に熱を蓄積できる蓄熱剤マイクロカプセルが得られた。
【００３８】
＜シルクスクリーンインキの準備＞
硝化綿系樹脂をバインダーとして、これに、上記、ｎ−ペンタデカン蓄熱剤からなるマイクロカプセルと白色顔料と溶剤を添加し、撹拌・分散し、紙用シルクスクリーンインキを作製した。
【００３９】
＜セキュリティ媒体の印刷＞
上記シルクスクリーンインキを用いて、コート紙に、図１（Ｂ）図示のようなマトリックス状絵柄を、１つの矩形状のマトリックスの大きさが、ａ＝１０ｍｍ，ｂ＝１０ｍｍとなるように、同様に各色に着色した通常のシルクスクリーンインキと共に印刷し、セキュリティ媒体とした。印刷膜厚は、約１２μｍとなった。白色のマイクロカプセル蓄熱インキの部分は、通常のインキで覆われて視覚では、その存在が分からないようにした。
【００４０】
＜セキュリティ媒体の観察及び指触試験＞
当該印刷後のセキュリティ媒体を、３°Ｃの冷蔵庫内に１０分間保管した後、２５°Ｃの室温に取り出し、１分後に、二次元放射温度計（株式会社テックジャム販売「アイスクエア」）を用いて観察すると、蓄熱剤インキで印刷したマトリックス状絵柄部分だけが低温であることが確認できた。
また、当該マトリックス状絵柄部分を手指で触れると、他の絵柄部分よりも冷たく感じることができた。
【実施例２】
【００４１】
＜蓄熱剤入りマイクロカプセルの準備＞
蓄熱剤として、パラフィンワックス（融点２８．１°Ｃ）を使用し、これをマイクロカプセル化した。
カプセル壁形成用モノマーとして、オクタメチルシクロテトラシロキサン（１００ｇ）を主成分としたものを用い、これに、５０°Ｃにて融解したパラフィンワックス（日本精蝋株式会社製「ＳＣＰ−００２８」）１００ｇを加えて混合・撹拌した。これに、イオン交換水２００ｇ及び分散剤（ドデシルベンゼンスルホン酸ナトリウム１０重量％水溶液）を添加、撹拌して乳化モノマー液を調整した。
【００４２】
乳化モノマー液を含む重合器を昇温して重合を開始し、重合を終了してから、室温まで冷却し、熟成を行った。得られた蓄熱剤入りマイクロカプセルは、固形分（カプセル）濃度が約５０重量％、平均粒径は約３μｍであった。実施例１と同様にして乾燥し、２８°Ｃ付近に熱を蓄積できる蓄熱剤マイクロカプセルが得られた。
【００４３】
＜シルクスクリーンインキの準備＞
アクリル／ビニル系樹脂をバインダーとして、これに、上記、パラフィンワックス蓄熱剤を含むマイクロカプセルと黄色の顔料及び溶剤を添加して撹拌・分散し、プラスチック用シルクスクリーンインキを作製した。
【００４４】
＜セキュリティ媒体の印刷＞
上記シルクスクリーンインキを用いて、塩化ビニルカード基材に、図１（Ａ）図示のような数字（縦の長さｃ＝２０ｍｍ，幅ｄ＝１５ｍｍ）からなる蓄熱インキ絵柄２と、同様に各色に着色した、多色からなる通常のシルクスクリーンインキ絵柄３と共に印刷した。印刷膜厚は、約１６μｍとなった。
【００４５】
＜セキュリティ媒体の観察＞
当該印刷後のセキュリティ媒体（塩化ビニルカード）を、４０°Ｃの温湯に１分間浸漬した後、２３°Ｃの室温に取り出し、２分後に、二次元放射温度計（株式会社テックジャム販売「アイスクエア」）を用いて観察すると、蓄熱剤インキで印刷した数字からなる絵柄部分だけが、２８°Ｃ付近の高温であることが確認できた。
また、当該絵柄の温度分布データをコンパクトフラッシュカードに記録し、後に、パーソナルコンピュータ画面に表示して観察した場合も同様であった。
【００４６】
以上のように、本発明のセキュリティ媒体は、手指による触感という簡単な方法で真偽判定をすることもでき、あるいは２次元放射温度計を使用する確実な真偽判定方法をすることもできるので、実用性の高いセキュリティ媒体となる。
【図面の簡単な説明】
【００４７】
【図１】本発明のセキュリティ媒体の各種例を示す平面図である。
【図２】本発明の真偽判定方法を説明する図である。
【図３】２次元放射温度計の構成を説明する図である。
【符号の説明】
【００４８】
１  セキュリティ媒体
２  蓄熱インキ絵柄
３  他の絵柄
４  断熱材インキ
５Ａ，５Ｂ  カード
６  手指
７  判定装置
１０  ２次元放射温度計
【図１】
2005131846.tif 000003
【図２】
2005131846.tif 000004
【図３】
2005131846.tif 000005